(57)【要約】【課題】２つの球皿を備える弾球遊技機において、遊技者の利便性を向上させる。【解決手段】遮蔽部材２１は板状の部材であり、水平な姿勢で左右方向に移動可能に支持されており、ボタンやレバー等の操作部（図示省略）の操作により、誘導通路２０の第一通路２０ａと第三通路２０ｃとの境界付近に形成された開口２０ｄから誘導通路２０内に配置される位置と、誘導通路２０外に配置される位置との間で変化可能となっている。そのため、初期状態として遮蔽部材２１が誘導通路２０外に配置されると、第一通路２０ａと第三通路２０ｃとの間が接続されて、第三通路２０ｃでの遊技球の受け入れおよび通過が許可され、操作部の操作によって遮蔽部材２１が誘導通路２０内に配置されると、第一通路２０ａと第三通路２０ｃとの間が遮断されて、第三通路２０ｃでの遊技球の受け入れおよび通過が阻止される。【選択図】図２
2014014554.tif 000002
【特許請求の範囲】
【請求項１】
払出装置から払い出された遊技球を発射装置から発射して遊技領域に転動させる弾球遊技機であって、
前記払出装置から払い出された遊技球を貯留可能な第一球受皿および第二球受皿と、
前記払出装置から払い出された遊技球を受け入れて通過させた後に排出する第一通路、前記第一通路から排出された遊技球を受け入れて通過させた後に前記第一球受皿に排出する第二通路、および前記第二通路が遊技球を受け入れられない場合に前記第一通路から排出された遊技球を受け入れて通過させた後に前記第二球受皿に排出する第三通路を有する誘導通路と、
前記第三通路での遊技球の受け入れまたは通過を阻止可能な遊技球阻止部と、
を備えることを特徴とする弾球遊技機。
【請求項２】
請求項１に記載の弾球遊技機において、
前記遊技球阻止部は、遮蔽部材を前記誘導通路内の前記第一通路と前記第三通路との境界付近に移動可能な構成を有し、前記遮蔽部材を前記境界付近に移動させることで前記第三通路での遊技球の受け入れを阻止することを特徴とする弾球遊技機。
【請求項３】
請求項１または請求項２の何れか１項に記載の弾球遊技機において、
前記第一球受皿および前記第二通路に貯留された遊技球の量が満杯状態であることを示す警報量に達したことを検出する検出部と、
音による警報を行う音警報部と、
前記検出部により前記第一球受皿および前記第二通路に貯留された遊技球の量が前記警報量に達したことが検出されると前記音警報部を制御して音による警報を行わせる制御部と、を備え、
前記制御部は、前記遊技球阻止部が前記第三通路での遊技球の受け入れまたは通過を阻止している場合において、前記検出部により前記第一球受皿および前記第二通路に貯留された遊技球の量が前記警報量に達したことが検出されたときには、前記払出装置による遊技球の払出動作を停止させ、前記音警報部の音による警報を行わせないこと
を特徴とする弾球遊技機。
【発明の詳細な説明】
【技術分野】
【０００１】
本発明は、パチンコ機などの弾球遊技機に関する。
【背景技術】
【０００２】
パチンコ機などの弾球遊技機には、発射装置に供給するための遊技球を貯留する供給皿が備わっている。この供給皿は、払出装置から払い出された遊技球を受け容れるためにも用いられ、それらの遊技球は上述のように発射装置に供給するための遊技球として貯留される。
【０００３】
また、供給皿を備える弾球遊技機の中には、供給皿とともに下の受皿を備えるものもあり、このような２つの球皿を備える弾球遊技機では、供給皿が満杯状態になったときには下の受皿に遊技球を誘導する構成となっている（例えば、特許文献１参照。）。
【先行技術文献】
【特許文献】
【０００４】
【特許文献１】特開平０７−１２４３１６号公報（第５頁、図４）
【発明の概要】
【発明が解決しようとする課題】
【０００５】
しかし、上述のような２つの球皿を備える弾球遊技機においては、供給皿の遊技球が無くなると遊技を続行できなくなるため、払出装置から遊技球が新たに払い出されない場合には、供給皿の遊技球が無くなる前に、遊技者は下の受皿の遊技球を手で供給皿に移す必要があった。このとき、遊技者は遊技盤を注視しながらその動作を行わなければならず、煩わしかった。
【０００６】
本発明は、このような課題に鑑みなされたものであり、その目的とするところは、２つの球皿を備える弾球遊技機において、遊技者の利便性を向上させることにある。
【課題を解決するための手段】
【０００７】
上記課題を解決するためになされた請求項１に係る弾球遊技機は、払出装置から払い出された遊技球を発射装置から発射して遊技領域に転動させる弾球遊技機であって、前記払出装置から払い出された遊技球を貯留可能な第一球受皿および第二球受皿と、前記払出装置から払い出された遊技球を受け入れて通過させた後に排出する第一通路、前記第一通路から排出された遊技球を受け入れて通過させた後に前記第一球受皿に排出する第二通路、および前記第二通路が遊技球を受け入れられない場合に前記第一通路から排出された遊技球を受け入れて通過させた後に前記第二球受皿に排出する第三通路を有する誘導通路と、前記第三通路での遊技球の受け入れまたは通過を阻止可能な遊技球阻止部と、を備えることを特徴とする。
【０００８】
一例を挙げると、遊技球阻止部が、遮蔽部材を誘導通路内の第一通路と第三通路との境界付近に移動可能な構成を有し、遮蔽部材を境界付近に移動させることで第三通路での遊技球の受け入れを阻止するといった具合である（請求項２）。
【０００９】
このように構成された本発明の弾球遊技機によれば、遊技球阻止部を用いて第三通路での遊技球の受け入れまたは通過を阻止することにより、払出装置から払い出された遊技球が下の受皿（第二球受皿）に誘導されないようにして、例えば第二通路が満杯状態で遊技球を受け入れられない状態である場合にはその遊技球を第一通路に留め置くことができる。これら第一通路に留め置かれた遊技球は、第二通路が満杯状態ではなく遊技球を受け入れ可能な状態になれば、第二通路に受け入れられた後に供給皿（第一球受皿）に排出される。つまり、払出装置から遊技球が新たに払い出されない場合でも、第一通路に留め置かれた遊技球が第一球受皿に誘導されるために、第一球受皿に貯留される遊技球が無くなりにくくなる。したがって、遊技者が遊技盤を注視しながら第二球受皿の遊技球を手で第一球受皿に移す動作を極力減らすことができ、遊技者の利便性を向上させることができる。
【００１０】
また、本発明の弾球遊技機によれば、遊技球阻止部を用いて第三通路での遊技球の受け入れまたは通過を阻止することによって第二球受皿を使用せずに第一球受皿のみを使用する状態となり、遊技球阻止部を移動させて第三通路での遊技球の受け入れまたは通過を許可することによって第一球受皿および第二球受皿を使用する状態となるので、当該弾球遊技機を遊技者が所望する状態に切り替えることができる。
【００１１】
請求項３に係る弾球遊技機は、請求項１または請求項２の何れか１項に記載の弾球遊技機において、前記第一球受皿および前記第二通路に貯留された遊技球の量が満杯状態であることを示す警報量に達したことを検出する検出部と、音による警報を行う音警報部と、前記検出部により前記第一球受皿および前記第二通路に貯留された遊技球の量が前記警報量に達したことが検出されると前記音警報部を制御して音による警報を行わせる制御部と、を備え、前記制御部は、前記遊技球阻止部が前記第三通路での遊技球の受け入れまたは通過を阻止している場合において、前記検出部により前記第一球受皿および前記第二通路に貯留された遊技球の量が前記警報量に達したことが検出されたときには、前記払出装置による遊技球の払出動作を停止させ、前記音警報部の音による警報を行わせないことを特徴とする。
【００１２】
このように構成された本発明の弾球遊技機によれば、遊技者が満杯検知時の警報音に妨害されずに遊技に集中することができる。
【図面の簡単な説明】
【００１３】
【図１】実施形態のパチンコ機１の正面図および側面図
【図２】実施形態のパチンコ機１の遮蔽部材２１の説明図
【図３】他の実施形態のパチンコ機１の遮蔽部材２１の説明図
【発明を実施するための形態】
【００１４】
以下に本発明の実施形態を図面とともに説明する。
［１．パチンコ機１の構成の説明］
図１に示す弾球遊技機としてのパチンコ機１は、払出装置（図示省略）から払い出された遊技球を発射装置（図示省略）から発射して遊技領域（図示省略）に転動させて遊技を行う遊技機である。
【００１５】
このパチンコ機１の前面部には、窓枠２、上皿扉３、下部ユニット４が上から順に配されている。
窓枠２はヒンジにて中枠７に連結されていて、扉状に開閉可能である。窓枠２には円形の窓８が設けられているが、この窓８は窓枠２の背面部に取り付けられたガラス板にて閉鎖されている。一方、中枠７は周知の遊技盤（図示省略）を保持しており、窓枠２の窓８（ガラス板）を通して遊技盤を視認できる。
【００１６】
上皿扉３も、窓枠２と同様にヒンジにて中枠７に連結されていて、扉状に開閉可能である。上皿扉３の前面部には球皿である上皿（第一球受皿）１０が取り付けられている。
下部ユニット４は中枠７の前面部に固定されており、その前面には灰皿１６、球皿である下皿（第二球受皿）１７、発射ハンドル１８が取り付けられている。
【００１７】
このように中枠７は窓枠２、上皿扉３、下部ユニット４を支承しているが、自身もヒンジによって外枠１９に連結されていて扉状に開閉可能である。
また、外枠１９には、賞球又は貸球として払出装置から払出される遊技球を上皿１０および下皿１７に誘導するための誘導通路２０（図２参照）が備わっている。
【００１８】
この誘導通路２０は、図２に示すように、上下方向に延出する筒状に形成された第一通路２０ａの下端が当該パチンコ機１の後方から見て左方向に屈曲し、その下端の開口の先には左右方向に延出する筒状の第二通路２０ｂの右端の開口が配置されるとともに、下方には筒状の第三通路２０ｃの上端の開口が配置され、第二通路２０ｂの左端が上皿１０へ遊技球を排出するための第一賞球樋１２に接続し、第三通路２０ｃの下端が下皿１７へ遊技球を排出するための第二賞球樋（図示省略）に接続する構造を有している。そのため、この誘導通路２０においては、第一通路２０ａが、払出装置から払い出された遊技球を受け入れて通過させた後に屈曲部分によって左斜め下方に向けて滑り出させ、第二通路２０ｂが、第一通路２０ａから排出された遊技球を受け入れて通過させた後に第一賞球樋１２を経由して上皿１０に排出し、第三通路２０ｃが、第二通路２０ｂが遊技球で溢れて新たな遊技球を受け入れられない場合に第一通路２０ａから排出された遊技球を受け入れて通過させた後に第二賞球樋を経由して下皿１７に排出することができる。
【００１９】
また、外枠１９には、遮蔽部材（遊技球阻止部）２１および満杯スイッチ２２，２３が備わっている。
遮蔽部材２１は板状の部材であり、水平な姿勢で左右方向に移動可能に支持されており、ボタンやレバー等の操作部（図示省略）の操作により、誘導通路２０の第一通路２０ａと第三通路２０ｃとの境界付近に形成された開口２０ｄから誘導通路２０内に配置される位置と、誘導通路２０外に配置される位置との間で変化可能となっている。そのため、初期状態として遮蔽部材２１が誘導通路２０外に配置されると、第一通路２０ａと第三通路２０ｃとの間が接続されて、第三通路２０ｃでの遊技球の受け入れおよび通過が許可され、操作部の操作によって遮蔽部材２１が誘導通路２０内に配置されると、第一通路２０ａと第三通路２０ｃとの間が遮断されて、第三通路２０ｃでの遊技球の受け入れおよび通過が阻止される。
【００２０】
満杯スイッチ２２は、第一通路２０ａの左側側面に設置され、第一通路２０ａまで溢れた遊技球を検知可能になっている。
満杯スイッチ２３は、第三通路２０ｃの右側側面に設置され、第三通路２０ｃまで溢れた遊技球を検知可能になっている。
【００２１】
［２．遮蔽部材２１の機能の説明］
次に、遮蔽部材２１の機能を、図２を参照して説明する。
図２（ａ）に例示するように、初期状態として遮蔽部材２１が誘導通路２０外に配置されているときには、第一通路２０ａと第三通路２０ｃとの間が接続されて、第三通路２０ｃでの遊技球の受け入れおよび通過が許可される。このとき、払出装置から払い出された遊技球は、第一通路２０ａから第二通路２０ｂに入って上皿１０に排出されるが、上皿１０および第二通路２０ｂが遊技球で溢れると、第一通路２０ａから第二通路２０ｂには入らずに第三通路２０ｃに入って下皿１７に排出される（図２（ｂ）参照）。
【００２２】
なお、初期状態として遮蔽部材２１を誘導通路２０内に配置して第一通路２０ａと第三通路２０ｃとの間を遮断しておき（図２（ｃ）参照）、満杯スイッチ２２が第一通路２０ａ内の遊技球を検知した場合に、遮蔽部材２１を誘導通路２０外に移動させて第一通路２０ａと第三通路２０ｃとの間を接続させ（図２（ｂ）参照）、第一通路２０ａから第二通路２０ｂには入らずに第三通路２０ｃに入って下皿１７に排出されるようにしてもよい。
【００２３】
さらに、払出装置から遊技球が払い出されて下皿１７および第三通路２０ｃが遊技球で溢れると、満杯スイッチ２３が第三通路２０ｃ内の遊技球を検知して、図示しない制御部が、払出装置による遊技球の払出を停止する。なお、本実施形態では、満杯である旨を表示装置の隅に表示し、音声による報知は行わない。
【００２４】
一方、図２（ｃ）に例示するように、操作部による操作によって遮蔽部材２１が誘導通路２０内に配置されると、第一通路２０ａと第三通路２０ｃとの間が遮断されて、第三通路２０ｃでの遊技球の受け入れおよび通過が阻止される。このとき、払出装置から払い出された遊技球は、第一通路２０ａから第二通路２０ｂに入って上皿１０に排出されるが、上皿１０および第二通路２０ｂが遊技球で溢れ、さらに、第一通路２０ａも遊技球で溢れると、満杯スイッチ２２が第一通路２０ａ内の遊技球を検知して、制御部が、払出装置による遊技球の払出を停止する。なお、本実施形態では、満杯である旨を表示装置の隅に表示し、音声による報知は行わない。
【００２５】
［３．実施形態の効果］
（１）このように本実施形態のパチンコ機１によれば、遮蔽部材２１を用いて第三通路２０ｃでの遊技球の受け入れまたは通過を阻止することにより、払出装置から払い出された遊技球が下皿１７に誘導されないようにして、例えば第二通路２０ｂが満杯状態で遊技球を受け入れられない状態である場合にはその遊技球を第一通路２０ａに留め置くことができる。これら第一通路２０ａに留め置かれた遊技球は、第二通路２０ｂが満杯状態ではなく遊技球を受け入れ可能な状態になれば、第二通路２０ｂに受け入れられた後に上皿１０に排出される。つまり、払出装置から遊技球が新たに払い出されない場合でも、第一通路２０ａに留め置かれた遊技球が上皿１０に誘導されるために、上皿１０に貯留される遊技球が無くなりにくくなる。したがって、遊技者が遊技盤を注視しながら下皿１７の遊技球を手で上皿１０に移す動作を極力減らすことができ、遊技者の利便性を向上させることができる。
【００２６】
（２）また、本実施形態のパチンコ機１によれば、遮蔽部材２１を誘導通路２０内に配置して第三通路２０ｃでの遊技球の受け入れまたは通過を阻止することによって下皿１７を使用せずに上皿１６のみを使用する状態となり、遮蔽部材２１を誘導通路２０外に配置して第三通路２０ｃでの遊技球の受け入れまたは通過を許可することによって上皿１６および下皿１７を使用する状態となるので、当該パチンコ機１を遊技者が所望する状態に切り替えることができる。
【００２７】
（３）また、本実施形態のパチンコ機１によれば、操作部による操作によって遮蔽部材２１が誘導通路２０内に配置される場合において、下皿１７および第三通路２０ｃが遊技球で溢れて満杯スイッチ２３が第三通路２０ｃ内の遊技球を検知したときには、払出装置による遊技球の払出を停止するとともに、満杯である旨を表示装置の隅に表示するが、音声による報知は行わないので、遊技者が満杯検知時の音声（警報音）に妨害されずに遊技に集中することができる。
【００２８】
［４．他の実施形態］
以上、本発明の一実施形態について説明したが、本発明は上記実施形態に限定されるものではなく、以下のような様々な態様にて実施することが可能である。
【００２９】
（１）上記実施形態では、外枠１９に、第一通路２０ａ側の満杯スイッチ２２および第三通路２０ｃ側の満杯スイッチ２３が備わっているパチンコ機１に本発明を適用した例を挙げたが、これには限られず、図３に例示するように、外枠１９に、第一通路２０ａ側の満杯スイッチ２２のみが備わっているパチンコ機についても本発明を適用可能である。
【００３０】
この例では、図３（ａ）に例示するように、初期状態として遮蔽部材２１が誘導通路２０外に配置されているときには、第一通路２０ａと第三通路２０ｃとの間が接続されて、第三通路２０ｃでの遊技球の受け入れおよび通過が許可される。このとき、払出装置から払い出された遊技球は、第一通路２０ａから第二通路２０ｂに入って上皿１０に排出されるが、上皿１０および第二通路２０ｂが遊技球で溢れると、第一通路２０ａから第二通路２０ｂには入らずに第三通路２０ｃに入って下皿１７に排出される（図３（ｂ）参照）。さらに、払出装置から遊技球が払い出されて下皿１７および第三通路２０ｃが遊技球で溢れ、さらに、第一通路２０ａも遊技球で溢れると、満杯スイッチ２２が第一通路２０ａ内の遊技球を検知して、制御部が、払出装置による遊技球の払出を停止するとともに、満杯である旨を表示装置の隅に表示する。なお、音声による報知は行わない。
【００３１】
なお、図３（ｃ）に例示するような操作部による操作によって遮蔽部材２１が誘導通路２０内に配置される場合については上記実施形態と同様である。
このように構成しても、上記実施形態と同様の効果を奏する。
【００３２】
（２）上記実施形態では、遮蔽部材２１が誘導通路２０内の第一通路２０ａと第三通路２０ｃとの境界付近に移動可能になっているが、これには限られず、第三通路２０ｃでの遊技球の受け入れおよび通過が阻止される位置であれば、遮蔽部材２１が他の位置に配置されてもよい。一例を挙げると、遮蔽部材２１が、第三通路２０ｃの左側側面（開口２０ｄの下方の位置）から誘導通路２０内に移動可能になっているといった具合である。
【符号の説明】
【００３３】
１…パチンコ機、２…窓枠、３…上皿扉、４…下部ユニット、７…中枠、８…窓、１０…上皿、１２…第一賞球樋、１６…灰皿、１７…下皿、１８…発射ハンドル、１９…外枠、２０…誘導通路、２０ａ…第一通路、２０ｂ…第二通路、２０ｃ…第三通路、２０ｄ…開口、２１…遮蔽部材、２２，２３…満杯スイッチ
【図１】
2014014554.tif 000003
【図２】
2014014554.tif 000004
【図３】
2014014554.tif 000005